(57)【要約】【課題】通信中に回線品質が悪化した場合のデータエラーの発生及び回線の切断をなくすことが可能な通信システムを提供する。【解決手段】ＤＳＬＡＭ装置１はＡＤＳＬ線路信号ｃからエラーを検出すると、ＡＤＳＬ終端装置２へ回線速度調整通知を送信し、各サブキャリア調査を実施する。ＡＤＳＬ終端装置２はＤＳＬＡＭ装置１から回線速度調整通知を受信すると、各サブキャリア調査を実施する。ＤＳＬＡＭ装置１はサブキャリアの回線品質調査が終了すると、この回線品質状態をＡＤＳＬ終端装置２へ通知する。ＤＳＬＡＭ装置１及びＡＤＳＬ終端装置２はこの回線品質状態によって各サブキャリアの使用／未使用を決定する。【選択図】　　　図１
2004048213.tif 000002
【特許請求の範囲】
【請求項１】
局舎側端末と終端側端末とが複数のサブキャリアにて信号の伝送を行うＡＤＳＬ（Ａｓｙｍｍｅｔｒｉｃ　Ｄｉｇｉｔａｌ　Ｓｕｂｓｃｒｉｂｅｒ　Ｌｉｎｅ）線路を介して相互に通信を行うために、前記局舎側端末と前記ＡＤＳＬ線路とを接続するＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）装置と、前記終端側端末と前記ＡＤＳＬ線路とを接続するＡＤＳＬ終端装置とを含む通信システムであって、前記局舎側端末と前記終端側端末とが通信中に回線品質が悪化した時に前記ＡＤＳＬ線路で使用している各サブチャネル毎に回線品質の調査を行う手段と、その調査結果を基に前記回線品質が悪化しているサブチャネルの使用を停止する手段とを前記ＤＳＬＡＭ装置と前記ＡＤＳＬ終端装置とにそれぞれ有することを特徴とする通信システム。
【請求項２】
前記局舎側端末と前記終端側端末とが通信中に未使用のサブチャネル各々の回線品質の調査を定期的に実施する手段と、その調査結果を基に使用可能な回線品質のサブチャネルを使用する手段とを前記ＤＳＬＡＭ装置と前記ＡＤＳＬ終端装置とにそれぞれ含むことを特徴とする請求項１記載の通信システム。
【請求項３】
局舎側端末と終端側端末とが複数のサブキャリアにて信号の伝送を行うＡＤＳＬ（Ａｓｙｍｍｅｔｒｉｃ　Ｄｉｇｉｔａｌ　Ｓｕｂｓｃｒｉｂｅｒ　Ｌｉｎｅ）線路を介して相互に通信を行うために、前記局舎側端末と前記ＡＤＳＬ線路とを接続するＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）装置と、前記終端側端末と前記ＡＤＳＬ線路とを接続するＡＤＳＬ終端装置とを含む通信システムであって、前記局舎側端末と前記終端側端末とが通信中に未使用のサブチャネル各々の回線品質の調査を定期的に実施する手段と、その調査結果を基に使用可能な回線品質のサブチャネルを使用する手段とを前記ＤＳＬＡＭ装置と前記ＡＤＳＬ終端装置とにそれぞれ有することを特徴とする通信システム。
【請求項４】
前記ＡＤＳＬ線路信号中の局舎側データ信号と終端側データ信号とは別に、前記ＤＳＬＡＭ装置と前記ＡＤＳＬ終端装置との間に局舎側制御リンク信号及び終端側制御リンク信号の制御信号を接続することを特徴とする請求項１から請求項３のいずれか記載の通信システム。
【請求項５】
局舎側端末と終端側端末とが複数のサブキャリアにて信号の伝送を行うＡＤＳＬ（Ａｓｙｍｍｅｔｒｉｃ　Ｄｉｇｉｔａｌ　Ｓｕｂｓｃｒｉｂｅｒ　Ｌｉｎｅ）線路を介して相互に通信を行うために、前記局舎側端末と前記ＡＤＳＬ線路とを接続するＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）装置と、前記終端側端末と前記ＡＤＳＬ線路とを接続するＡＤＳＬ終端装置とを含む通信システムの回線速度調整方法であって、前記局舎側端末と前記終端側端末とが通信中に回線品質が悪化した時に前記ＡＤＳＬ線路で使用している各サブチャネル毎に回線品質の調査を行うステップと、その調査結果を基に前記回線品質が悪化しているサブチャネルの使用を停止するステップとを前記ＤＳＬＡＭ装置と前記ＡＤＳＬ終端装置とにそれぞれ有することを特徴とする回線速度調整方法。
【請求項６】
前記局舎側端末と前記終端側端末とが通信中に未使用のサブチャネル各々の回線品質の調査を定期的に実施するステップと、その調査結果を基に使用可能な回線品質のサブチャネルを使用するステップとを前記ＤＳＬＡＭ装置と前記ＡＤＳＬ終端装置とにそれぞれ含むことを特徴とする請求項５記載の回線速度調整方法。
【請求項７】
局舎側端末と終端側端末とが複数のサブキャリアにて信号の伝送を行うＡＤＳＬ（Ａｓｙｍｍｅｔｒｉｃ　Ｄｉｇｉｔａｌ　Ｓｕｂｓｃｒｉｂｅｒ　Ｌｉｎｅ）線路を介して相互に通信を行うために、前記局舎側端末と前記ＡＤＳＬ線路とを接続するＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）装置と、前記終端側端末と前記ＡＤＳＬ線路とを接続するＡＤＳＬ終端装置とを含む通信システムの回線速度調整方法であって、前記局舎側端末と前記終端側端末とが通信中に未使用のサブチャネル各々の回線品質の調査を定期的に実施するステップと、その調査結果を基に使用可能な回線品質のサブチャネルを使用するステップとを前記ＤＳＬＡＭ装置と前記ＡＤＳＬ終端装置とにそれぞれ有することを特徴とする回線速度調整方法。
【請求項８】
前記ＡＤＳＬ線路信号中の局舎側データ信号と終端側データ信号とは別に、前記ＤＳＬＡＭ装置と前記ＡＤＳＬ終端装置との間に局舎側制御リンク信号及び終端側制御リンク信号の制御信号を接続することを特徴とする請求項５から請求項７のいずれか記載の回線速度調整方法。
【発明の詳細な説明】
【０００１】
【発明の属する技術分野】
本発明は通信システム及びそれに用いる回線速度調整方法に関し、特にＡＤＳＬ　（Ａｓｙｍｍｅｔｒｉｃ　Ｄｉｇｉｔａｌ　Ｓｕｂｓｃｒｉｂｅｒ　Ｌｉｎｅ）回線構成における回線速度の設定方法に関する。
【０００２】
【従来の技術】
従来、ＡＤＳＬ回線構成としては、図１６に示すように、局舎側端末３と、終端側端末４と、ＤＳＬＡＭ（Ｄｉｇｉｔａｌ　Ｓｕｂｓｃｒｉｂｅｒ　ＬｉｎｅＡｃｃｅｓｓ　Ｍｕｌｔｉｐｌｅｘｅｒ）装置５と、ＡＤＳＬ終端装置６と、ＡＤＳＬ線路１００とから構成されている。
【０００３】
ＤＳＬＡＭ装置５は局舎側ＡＤＳＬモデム部５１を備え、局舎側ＡＤＳＬモデム部５１は局舎側端末３と終端側端末４とを相互に通信する回線構成において、局舎側データ信号ａによって局舎側側端末３と相互に接続され、局舎側ＡＤＳＬ信号ｂによってＡＤＳＬ線路１００と相互に接続されている。
【０００４】
これに対し、ＡＤＳＬ終端装置６は終端側ＡＤＳＬモデム部６１を備え、終端側ＡＤＳＬモデム部６１は終端側ＡＤＳＬ信号ｄによってＡＤＳＬ線路１００と相互に接続され、終端側データ信号ｅによって終端側端末５と相互に接続されている。ここで、ＡＤＳＬ線路１００は局舎側ＡＤＳＬ信号ｂによって局舎側ＡＤＳＬモデム部５１と相互に接続され、終端側ＡＤＳＬ信号ｄによって終端側ＤＳＬモデム部６１と相互に接続されている。
【０００５】
従来の電力分布を図１７に示す。図１７において、ＡＤＳＬ線路信号ｃの電力分布は０〜４ｋＨｚまで電話器用の音声帯域として使用され、実際にＡＤＳＬ信号（局舎側ＡＤＳＬ信号ｂ及び終端側ＡＤＳＬ信号ｄ）として使用されるのは、２５ｋ〜１３８ｋＨｚまでの上り側（ＡＤＳＬ終端装置６→ＤＳＬＡＭ装置５方向）信号と、１３８ｋ〜５５２ｋＨｚまでの下り側（ＤＳＬＡＭ装置５→ＡＤＳＬ終端装置６方向）信号が使用される。
【０００６】
このＡＤＳＬ信号では上り側で最大３２個のサブキャリアを、下り側で最大１２８個のサブキャリアをそれぞれ使用して伝送される。この伝送技術については、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−Ｔｅｌｅｃｏｍｍｕｎｉｃａｔｉｏｎ　ｓｔａｎｄａｒｄｉｚａｔｉｏｎ　ｓｅｃｔｏｒ）　Ｇ．９９２．１（Ｇ．　ｌｉｔｅ）で定められている。
【０００７】
ＡＤＳＬ信号は高位レイヤでＡＴＭ（Ａｓｙｎｃｈｒｏｎｏｕｓ　Ｔｒａｎｓｆｅｒ　Ｍｏｄｅ）セルを使用してデータ信号（局舎側データ信号ａ及び終端側データ信号ｅ）の伝送が行われる。ここで、ＤＳＬＡＭ装置５とＡＤＳＬ終端装置６との接続方法について記載すると、ＤＳＬＡＭ装置５とＡＤＳＬ終端装置６との接続時にＧ．ｈｓと呼ばれるネゴシエーションが実施される。
【０００８】
まず、ＡＤＳＬ終端装置６はＤＳＬＡＭ装置５に対してＧ．ｈｓを実施するためにキャリアを送信し、この時にＡＤＳＬ終端装置６とＤＳＬＡＭ装置５との接続時の情報交換が実施される。
【０００９】
次に、ｔｒａｉｎｇと呼ばれる、各サブキャリアを上り側信号としてＡＤＳＬ終端装置６側からＤＳＬＡＭ装置５側へ送信し、下り側信号としてＤＳＬＡＭ装置５側からＡＤＳＬ終端装置６側への送信を行う。そして、ＡＤＳＬ線路信号ｃの上り側及び下り側信号で使用される各サブキャリアの数によって伝送速度が決定され、局舎側ＡＤＳＬ信号ｂ及び終端側ＡＤＳＬ信号ｄのデータ信号の伝送が実施される。このＧ．ｈｓの技術については、ＩＴＵ−Ｔ　Ｇ．９９４．１で定められている。
【００１０】
【発明が解決しようとする課題】
しかしながら、上述した従来の伝送技術では、回線速度の設定が接続時のネゴシエーション（Ｇ．ｈｓ）で実施され、通信中に回線品質が悪化した場合に回線速度を低くしたり、エラーの低下を行う処理がないため、回線品質が悪化した場合、データエラーが発生し、さらに回線品質の悪化時に、回線が切断されて再接続が行われるという問題がある。
【００１１】
また、従来の伝送技術では、回線速度の設定が接続時のネゴシエーション（Ｇ．ｈｓ）で実施され、通信中に回線品質が向上した場合に回線速度を高くする処理がないため、通信中に回線品質が向上しても、回線速度が高くならないという問題がある。
【００１２】
そこで、本発明の目的は上記の問題点を解消し、通信中に回線品質が悪化した場合のデータエラーの発生及び回線の切断をなくすことができる通信システム及びそれに用いる回線速度調整方法を提供することにある。
【００１３】
また、本発明の他の目的は、通信中に回線品質が向上した場合に回線速度を高くすることができる通信システム及びそれに用いる回線速度調整方法を提供することにある。
【００１４】
【課題を解決するための手段】
本発明による通信システムは、局舎側端末と終端側端末とが複数のサブキャリアにて信号の伝送を行うＡＤＳＬ（Ａｓｙｍｍｅｔｒｉｃ　Ｄｉｇｉｔａｌ　Ｓｕｂｓｃｒｉｂｅｒ　Ｌｉｎｅ）線路を介して相互に通信を行うために、前記局舎側端末と前記ＡＤＳＬ線路とを接続するＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）装置と、前記終端側端末と前記ＡＤＳＬ線路とを接続するＡＤＳＬ終端装置とを含む通信システムであって、前記局舎側端末と前記終端側端末とが通信中に回線品質が悪化した時に前記ＡＤＳＬ線路で使用している各サブチャネル毎に回線品質の調査を行う手段と、その調査結果を基に前記回線品質が悪化しているサブチャネルの使用を停止する手段とを前記ＤＳＬＡＭ装置と前記ＡＤＳＬ終端装置とにそれぞれ備えている。
【００１５】
本発明による他の通信システムは、局舎側端末と終端側端末とが複数のサブキャリアにて信号の伝送を行うＡＤＳＬ（Ａｓｙｍｍｅｔｒｉｃ　ＤｉｇｉｔａｌＳｕｂｓｃｒｉｂｅｒ　Ｌｉｎｅ）線路を介して相互に通信を行うために、前記局舎側端末と前記ＡＤＳＬ線路とを接続するＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）装置と、前記終端側端末と前記ＡＤＳＬ線路とを接続するＡＤＳＬ終端装置とを含む通信システムであって、前記局舎側端末と前記終端側端末とが通信中に未使用のサブチャネル各々の回線品質の調査を定期的に実施する手段と、その調査結果を基に使用可能な回線品質のサブチャネルを使用する手段とを前記ＤＳＬＡＭ装置と前記ＡＤＳＬ終端装置とにそれぞれ備えている。
【００１６】
本発明による回線速度調整方法は、局舎側端末と終端側端末とが複数のサブキャリアにて信号の伝送を行うＡＤＳＬ（Ａｓｙｍｍｅｔｒｉｃ　ＤｉｇｉｔａｌＳｕｂｓｃｒｉｂｅｒ　Ｌｉｎｅ）線路を介して相互に通信を行うために、前記局舎側端末と前記ＡＤＳＬ線路とを接続するＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）装置と、前記終端側端末と前記ＡＤＳＬ線路とを接続するＡＤＳＬ終端装置とを含む通信システムの回線速度調整方法であって、前記局舎側端末と前記終端側端末とが通信中に回線品質が悪化した時に前記ＡＤＳＬ線路で使用している各サブチャネル毎に回線品質の調査を行うステップと、その調査結果を基に前記回線品質が悪化しているサブチャネルの使用を停止するステップとを前記ＤＳＬＡＭ装置と前記ＡＤＳＬ終端装置とにそれぞれ備えている。
【００１７】
本発明による他の回線速度調整方法は、局舎側端末と終端側端末とが複数のサブキャリアにて信号の伝送を行うＡＤＳＬ（Ａｓｙｍｍｅｔｒｉｃ　Ｄｉｇｉｔａｌ　Ｓｕｂｓｃｒｉｂｅｒ　Ｌｉｎｅ）線路を介して相互に通信を行うために、前記局舎側端末と前記ＡＤＳＬ線路とを接続するＤＳＬＡＭ（ＤｉｇｉｔａｌＳｕｂｓｃｒｉｂｅｒ　Ｌｉｎｅ　Ａｃｃｅｓｓ　Ｍｕｌｔｉｐｌｅｘｅｒ）装置と、前記終端側端末と前記ＡＤＳＬ線路とを接続するＡＤＳＬ終端装置とを含む通信システムの回線速度調整方法であって、前記局舎側端末と前記終端側端末とが通信中に未使用のサブチャネル各々の回線品質の調査を定期的に実施するステップと、その調査結果を基に使用可能な回線品質のサブチャネルを使用するステップとを前記ＤＳＬＡＭ装置と前記ＡＤＳＬ終端装置とにそれぞれ備えている。
【００１８】
すなわち、本発明の通信システムは、通信中に回線品質が悪化した場合、ＡＤＳＬ線路で使用の各サブチャネル毎に回線品質の調査を行い、悪化しているサブチャネルの使用を停止して回線速度を低くするので、通信中に回線品質が悪化した場合のデータエラーの発生や回線の切断をなくすことが可能となる。
【００１９】
また、本発明の通信システムでは、通信中に未使用の各サブチャネルの回線品質の調査を定期的に実施し、使用することができる回線品質のサブチャネルがある場合、このサブチャネルを使用して回線速度を高めるので、通信中に回線品質が向上した場合、回線速度を高くすることが可能となる。
【００２０】
【発明の実施の形態】
次に、本発明の実施の形態について図面を参照して説明する。図１は本発明の実施の形態によるＡＤＳＬ（Ａｓｙｍｍｅｔｒｉｃ　Ｄｉｇｉｔａｌ　Ｓｕｂｓｃｒｉｂｅｒ　Ｌｉｎｅ）システムの構成を示すブロック図である。図１において、本発明の実施の形態による通信システムはＤＳＬＡＭ（Ｄｉｇｉｔａｌ　Ｓｕｂｓｃｒｉｂｅｒ　Ｌｉｎｅ　Ａｃｃｅｓｓ　Ｍｕｌｔｉｐｌｅｘｅｒ）装置１と、ＡＤＳＬ終端装置２と、局舎側端末３と、終端側端末４とから構成され、局舎側端末３と終端側端末４とをＤＳＬＡＭ装置１とＡＤＳＬ線路１００とＡＤＳＬ終端装置２とを介して相互に接続している。
【００２１】
ＤＳＬＡＭ装置１は局舎側ＡＤＳＬモデム部１１と、局舎側スプリッタ部１２と、局舎側音声モデム部１３と、局舎側制御部１４とから構成され、ＡＤＳＬ終端装置２は終端側ＡＤＳＬモデム部２１と、終端側スプリッタ部２２と、終端側音声モデム部２３と、終端側制御部２４とから構成されている。ＡＤＳＬ線路１００は局舎側スプリッタ部１２と終端側スプリッタ部２２とをＡＤＳＬ線路信号ｃによって相互に接続している。
【００２２】
局舎側ＡＤＳＬモデム部１１は局舎側データ信号ａによって局舎側端末３と相互に接続され、局舎側ＡＤＳＬ信号ｂによって局舎側スプリッタ部１２と相互に接続されている。
【００２３】
局舎側スプリッタ部１２は局舎側ＡＤＳＬ信号ｂによって局舎側ＡＤＳＬモデム部１１と相互に接続され、局舎側音声信号ｆによって局舎側音声モデム部１３と相互に接続され、ＡＤＳＬ線路信号ｃによってＡＤＳＬ線路１００と相互に接続されている。
【００２４】
局舎側音声モデム部１３は局舎側音声信号ｆによって局舎側スプリッタ部１２と相互に接続され、局舎側制御リンク信号ｈによって局舎側制御部１４と相互に接続されている。
【００２５】
局舎側制御部１４は局舎側制御リンク信号ｈによって局舎側音声モデム部１３と相互に接続され、局舎側回線制御信号ｊによって局舎側ＡＤＳＬモデム部１１と相互に接続されている。
【００２６】
終端側ＡＤＳＬモデム部２１は終端側ＡＤＳＬ信号ｄによって終端側スプリッタ部２２と相互に接続され、終端側回線制御信号ｋによって終端側制御部２４と相互に接続され、終端側データ信号ｅによって終端側端末４と相互に接続されている。
【００２７】
終端側スプリッタ部２２はＡＤＳＬ線路信号ｃによってＡＤＳＬ線路１００と相互に接続され、終端側ＡＤＳＬ信号ｄによって終端側ＡＤＳＬモデム部２１と相互に接続され、終端側音声信号ｇによって局舎側音声モデム部２３と相互に接続されている。
【００２８】
終端側音声モデム部２３は終端側音声信号ｇによって終端側スプリッタ部２２と相互に接続され、終端側制御リンク信号ｉによって終端側制御部２４と相互に接続されている。
【００２９】
終端側制御部２４は終端側制御リンク信号ｉによって終端側音声モデム部２３と相互に接続され、終端側回線制御信号ｋによって終端側ＡＤＳＬモデム部２１と相互に接続されている。
【００３０】
図２は本発明の実施の形態による通信システムにおける電力分布を示す図である。これら図１及び図２を参照して本発明の実施の形態による通信システムについて説明する。
【００３１】
まず、局舎側ＡＤＳＬモデム部１１は局舎側端末３からの局舎側データ信号ａによって局舎側ＡＤＳＬ信号ｂを作成し、その信号を上り側信号として局舎側スプリッタ部１２に送出する。局舎側スプリッタ部１２は上り側信号をＡＤＳＬ線路信号ｃとしてＡＤＳＬ線路１００に送信する。
【００３２】
また、局舎側スプリッタ部１２はＡＤＳＬ線路３からのＡＤＳＬ線路信号ｃにある下り側信号を局舎側ＡＤＳＬ信号ｂとして局舎側ＡＤＳＬモデム部１１に送出する。局舎側ＡＤＳＬモデム部１１は局舎側ＡＤＳＬ信号ｂによって局舎側データ信号ａを作成して局舎側端末３に送信する。
【００３３】
この時、局舎側スプリッタ部１２ではＡＤＳＬ線路信号ｃの音声信号（局舎側音声信号ｆ）及び上り側信号及び下り側信号（局舎側ＡＤＳＬ信号ｂ）への分離及び結合を行う。
【００３４】
局舎側スプリッタ部１２はＡＤＳＬ線路信号ｃの音声信号を局舎側音声信号ｆとして局舎側音声モデム部１３に送出する。局舎側音声モデム部１３は局舎側音声信号ｆによって局舎側制御リンク信号ｈを作成して局舎側制御部１４に送出する。
【００３５】
同様に、終端側ＡＤＳＬモデム部２１は終端側端末４からの終端側データ信号ｅによって終端側ＡＤＳＬ信号ｄを作成し、その信号を下り側信号として終端側スプリッタ部２２に送出する。終端側スプリッタ部２２は下り側信号をＡＤＳＬ線路信号ｃとしてＡＤＳＬ線路１００に送信する。
【００３６】
また、終端側スプリッタ部２２はＡＤＳＬ線路１００からのＡＤＳＬ線路信号ｃにある上り側信号を終端側ＡＤＳＬ信号ｄとして終端側ＡＤＳＬモデム部２１に送出する。終端側ＡＤＳＬモデム部２１は終端側ＡＤＳＬ信号ｄによって終端側データ信号ｅを作成して終端側端末４に送信する。
【００３７】
この時、終端側スプリッタ部２２ではＡＤＳＬ線路信号ｃの音声信号（終端側音声信号ｇ）及び上り側信号及び下り側信号（終端側ＡＤＳＬ信号ｄ）への分離及び結合を行う。
【００３８】
終端側スプリッタ部２２はＡＤＳＬ線路信号ｃの音声信号を終端側音声信号ｇとして終端側音声モデム部２３に送出する。終端側音声モデム部２３は終端側音声信号ｇによって終端側制御リンク信号ｉを作成して終端側制御部１３に送出する。
【００３９】
上記のように、本実施の形態では、本来、電話として使用する音声信号を局舎側制御リンク信号ｈ及び終端側制御リンク信号ｉの制御信号として利用する。すなわち、局舎側制御部１４は局舎側回線制御信号ｊで局舎側ＡＤＳＬモデム部１１の制御を行い、下り側信号及び上り側信号のサブキャリアの制御を行う。また、終端側制御部２４は終端側回線制御信号ｋで終端側ＡＤＳＬモデム部２１の制御を行い、下り側信号及び上り側信号のサブキャリアの制御を行う。
【００４０】
図３は本発明の実施の形態による通信システムの上り側回線速度調整シーケンスを示すシーケンスチャートである。これら図１及び図３を参照して本発明の実施の形態による通信システムの上り側回線速度調整シーケンスについて説明する。
【００４１】
まず、ＤＳＬＡＭ装置１はＡＤＳＬ線路信号ｃからエラーを検出した場合、ＡＤＳＬ終端装置２へ「回線速度調整通知」を送信する。ＡＤＳＬ終端装置２はＤＳＬＡＭ装置１から「回線速度調整通知」を受信すると、「応答」をＤＳＬＡＭ装置１に送信する。
【００４２】
ＤＳＬＡＭ装置１側では「応答」を受信した場合、各サブキャリア調査を実施するために、まず「Ｎｏ．１サブキャリア調査開始」をＡＤＳＬ終端装置２へ送信する。ＡＤＳＬ終端装置２はＤＳＬＡＭ装置１から「Ｎｏ．１サブキャリア調査開始」を受信すると、ＤＳＬＡＭ装置１へ「応答」を送信し、「Ｎｏ．１サブキャリア調査」を実施する。この時、調査するサブキャリアはＡＤＳＬ終端装置２が送信側で、ＤＳＬＡＭ装置１が受信側となる。
【００４３】
ＤＳＬＡＭ装置１はＮｏ．１サブキャリアの回線品質調査が終了すると、この回線品質状態をＡＤＳＬ終端装置２へ「Ｎｏ．１サブキャリア結果通知」として送信する。
【００４４】
ＡＤＳＬ終端装置２はＤＳＬＡＭ装置１から「Ｎｏ．１サブキャリア結果通知」を受信すると、ＤＳＬＡＭ装置１へ「応答」を出力する。この時、ＤＳＬＡＭ装置１及びＡＤＳＬ終端装置２は回線品質状態によってＮｏ．１サブキャリアの使用／未使用を決定する。
【００４５】
次に、ＤＳＬＡＭ装置１は「Ｎｏ．２サブキャリア調査開始」をＡＤＳＬ終端装置２へ送信する。ＡＤＳＬ終端装置２はＤＳＬＡＭ装置１から「Ｎｏ．２サブキャリア調査開始」を受信すると、ＤＳＬＡＭ装置１へ「応答」を送信し、「Ｎｏ．２サブキャリア調査」を実施する。この時、調査するサブキャリアはＡＤＳＬ終端装置２が送信側で、ＤＳＬＡＭ装置１が受信側となる。
【００４６】
ＤＳＬＡＭ装置１はＮｏ．２サブキャリアの回線品質調査が終了すると、この回線品質状態をＡＤＳＬ終端装置２へ「Ｎｏ．２サブキャリア結果通知」として送信する。
【００４７】
ＡＤＳＬ終端装置２はＤＳＬＡＭ装置１から「Ｎｏ．２サブキャリア結果通知」を受信すると、ＤＳＬＡＭ装置１へ「応答」を出力する。この時、ＤＳＬＡＭ装置１及びＡＤＳＬ終端装置２は回線品質状態によってＮｏ．２サブキャリアの使用／未使用を決定する。
【００４８】
ＤＳＬＡＭ装置１は上記と同様にして、各サブキャリアの調査を使用している個数分（図３ではｎ個）の「Ｎｏ．ｎサブキャリアの調査」を実施し、最後に、「回線速度調整終了通知」をＡＤＳＬ終端装置２へ送信する。ＡＤＳＬ終端装置２はＤＳＬＡＭ装置１から「回線速度調整終了通知」を受信すると、ＤＳＬＡＭ装置１へ「応答」を送信して回線速度調整シーケンスを終了する。
【００４９】
図４は本発明の実施の形態による通信システムの下り側回線速度調整シーケンスを示すシーケンスチャートである。これら図１及び図４を参照して本発明の実施の形態による通信システムの下り側回線速度調整シーケンスについて説明する。
【００５０】
まず、ＡＤＳＬ終端装置２はＡＤＳＬ線路信号ｃからエラーを検出した場合、ＤＳＬＡＭ装置１へ「回線速度調整通知」を送信する。ＤＳＬＡＭ装置１はＡＤＳＬ終端装置２から「回線速度調整通知」を受信すると、「応答」をＡＤＳＬ終端装置２へ送信する。
【００５１】
ＡＤＳＬ終端装置２は「応答」を受信した場合、各サブキャリア調査を実施するために、まず「Ｎｏ．１サブキャリア調査開始」をＤＳＬＡＭ装置１へ送信する。ＤＳＬＡＭ装置１はＡＤＳＬ終端装置２から「Ｎｏ．１サブキャリア調査開始」を受信すると、ＡＤＳＬ終端装置２へ「応答」を送信し、「Ｎｏ．１サブキャリア調査」を実施する。この時、調査するサブキャリアはＤＳＬＡＭ装置１が送信側で、ＡＤＳＬ終端装置２が受信側となる。
【００５２】
ＡＤＳＬ終端装置２はＮｏ．１サブキャリアの回線品質調査が終了すると、この回線品質状態をＤＳＬＡＭ装置１へ「Ｎｏ．１サブキャリア結果通知」として送信する。ＤＳＬＡＭ装置１はＡＤＳＬ終端装２から「Ｎｏ．１サブキャリア結果通知」を受信すると、ＡＤＳＬ終端装置２へ「応答」を出力する。この時、ＤＳＬＡＭ装置１及びＡＤＳＬ終端装置２は回線品質状態によってＮｏ．１サブキャリアの使用／未使用を決定する。
【００５３】
次に、ＡＤＳＬ終端装置２は「Ｎｏ．２サブキャリア調査開始」をＤＳＬＡＭ装置１へ送信する。ＤＳＬＡＭ装置１はＡＤＳＬ終端装置２から「Ｎｏ．２サブキャリア調査開始」を受信すると、ＡＤＳＬ終端装置２へ「応答」を送信し、「Ｎｏ．２サブキャリア調査」を実施する。この時、調査するサブキャリアはＤＳＬＡＭ装置１が送信側で、ＡＤＳＬ終端装置２が受信側となる。
【００５４】
ＡＤＳＬ終端装置２はＮｏ．２サブキャリアの回線品質調査が終了すると、この回線品質状態をＤＳＬＡＭ装置１へ「Ｎｏ．２サブキャリア結果通知」として送信する。ＤＳＬＡＭ装置１はＡＤＳＬ終端装置２から「Ｎｏ．２サブキャリア結果通知」を受信すると、ＡＤＳＬ終端装置２へ「応答」を出力する。この時、ＤＳＬＡＭ装置１及びＡＤＳＬ終端装置２は回線品質状態によってＮｏ．２サブキャリアの使用／未使用を決定する。
【００５５】
ＡＤＳＬ終端装置２は上記と同様にして、各サブキャリアの調査を使用している個数分（図４ではｎ個）の「Ｎｏ．ｎサブキャリアの調査」を実施し、最後に、「回線速度調整終了通知」をＤＳＬＡＭ装置１へ送信する。ＤＳＬＡＭ装置１はＡＤＳＬ終端装置４より「回線速度調整終了通知」を受信すると、ＡＤＳＬ終端装置２へ「応答」を送信して回線速度調整シーケンスを終了する。
【００５６】
図５は本発明の実施の形態による通信システムにおける回線速度調整通知実施側の動作を示すフローチャートである。図５に示す動作は図３に示す上り側回線速度調整シーケンスではＤＳＬＡＭ装置１側の動作になり、図４に示す下り側回線速度調整シーケンスではＡＤＳＬ終端装置２側の動作になる。
【００５７】
まず、回線速度調整通知実施側ではＡＤＳＬ線路信号ｃからエラーを検出した場合（図５ステップＳ１）、「回線速度調整通知」の送信を行い（図５ステップＳ２）、相手からの「応答」の受信を待つ（図５ステップＳ３）。
【００５８】
回線速度調整通知実施側では「応答」を受信した場合、サブキャリア番号をＮｏ．１に初期設定（本実施の形態ではｎというレジスタにサブキャリア番号を保存し、以降、Ｎｏ．ｎとして説明する）し（図５ステップＳ４）、「Ｎｏ．ｎサブキャリア調査開始」を送信して再び「応答」の受信を待つ（図５ステップＳ５，Ｓ６）。
【００５９】
回線速度調整通知実施側では再び「応答」を受信した場合、Ｎｏ．ｎのサブキャリアを切離して「Ｎｏ．ｎサブキャリア調査」を実施する（図５ステップＳ７）。回線速度調整通知実施側ではこのサブキャリアの品質調査の結果によって回線品質が良好と判定すると（図５ステップＳ８）、Ｎｏ．ｎサブキャリアを使用する（図５ステップＳ９）。また、回線速度調整通知実施側では回線品質が良好ではない（良くない）と判定すると（図５ステップＳ８）、Ｎｏ．ｎサブキャリアを切離して未使用とする（図５ステップＳ１０）。
【００６０】
次に、回線速度調整通知実施側ではその結果を「Ｎｏ．ｎサブキャリア結果通知」として送信を行う（図５ステップＳ１１）。この時、回線速度調整通知実施側では最後のサブキャリアでなければ（図５ステップＳ１２）、次のサブキャリア（ｎ＝ｎ＋１）へ移行し（図５ステップＳ１５）、ステップ５に戻ることで、使用している全てのサブキャリアに対して上記の処理を実施する（図５ステップＳ５〜Ｓ１２，Ｓ１５）。
【００６１】
回線速度調整通知実施側では全てのサブキャリアの処理を終えた場合、「回線速度調整終了通知」の送信を行い（図５ステップＳ１３）、再び「応答」を待つ（図５ステップＳ１４）。最後に、回線速度調整通知実施側では「応答」を受信した場合、回線速度調整の処理を終了する。
【００６２】
図６は本発明の実施の形態による通信システムにおける回線速度調整通知受信側の動作を示すフローチャートである。図６に示す動作は図３に示す上り側回線速度調整シーケンスではＡＤＳＬ終端装置２側の動作になり、図４に示す下り側回線速度調整シーケンスではＤＳＬＡＭ装置１側の動作になる。
【００６３】
まず、回線速度調整通知受信側はＡＤＳＬ線路信号ｃから「回線速度調整通知」を受信した場合（図６ステップＳ２１）、「応答」を送信し（図６ステップＳ２２）、「Ｎｏ．ｎサブキャリア調査開始通知」または「回線速度調整終了通知」（相手からの「回線速度調整終了通知」の受信によって終了の判定を行う）の受信を待つ（図６ステップＳ２３，Ｓ２７）。
【００６４】
ここで、回線速度調整通知受信側は「Ｎｏ．ｎサブキャリア調査開始通知」を受信した場合（図６ステップＳ２３）、「応答」を送信し、通知されたサブキャリアの切離しを行い、回線品質の調査を行う（図６ステップＳ２４，Ｓ２５）。回線速度調整通知受信側は「Ｎｏ．ｎサブキャリア結果通知」の受信を待ち（図６ステップＳ２６）、「Ｎｏ．ｎサブキャリア結果通知」を受信した場合、この結果通知の内容によって回線品質が良好と判定すると、Ｎｏ．ｎサブキャリアを使用し、回線品質が良好ではない（良くない）と判定すると、Ｎｏ．ｎサブキャリアを切離して未使用とする。
【００６５】
その後、回線速度調整通知受信側は再び「Ｎｏ．ｎサブキャリア調査開始通知」または「回線速度調整終了通知」の受信を待つ（図６ステップＳ２３，Ｓ２７）。ここで、回線速度調整通知受信側は「回線速度調整終了通知」を受信した場合、「応答」を送信し（図６ステップＳ２８）、回線速度調整の処理を終了する。
【００６６】
図７は本発明の実施の形態による通信システムの下り側調査シーケンスを示すシーケンスチャートである。これら図１及び図７を参照して本発明の実施の形態による通信システムの下り側調査シーケンスについて説明する。
【００６７】
まず、ＤＳＬＡＭ装置１はＡＤＳＬ終端装置２へ未使用の「Ｎｏ．ｎサブキャリア調査開始通知」を送信する。ＡＤＳＬ終端装置２は「Ｎｏ．ｎサブキャリア調査開始通知」を受信した場合、ＤＳＬＡＭ装置１へ「応答」を送信し、「Ｎｏ．ｎサブキャリア調査」を開始する。この時、調査するサブキャリアはＡＤＳＬ終端装置２が送信側で、ＤＳＬＡＭ装置１が受信側となる。
【００６８】
ＤＳＬＡＭ装置１はＮｏ．ｎサブキャリアの回線品質調査が終了すると、この回線品質状態をＡＤＳＬ終端装置２へ「Ｎｏ．ｎサブキャリア結果通知」として送信する。ＡＤＳＬ終端装置２は「Ｎｏ．ｎサブキャリア結果通知」を受信すると、ＤＳＬＡＭ装置１へ「応答」を送信する。この時、ＤＳＬＡＭ装置１及びＡＤＳＬ終端装置２は回線品質状態によってＮｏ．ｎサブキャリアの使用／未使用を決定し、下り側調査シーケンスを終了する。
【００６９】
図８は本発明の実施の形態による通信システムの上り側調査シーケンスを示すシーケンスチャートである。これら図１及び図８を参照して本発明の実施の形態による通信システムの上り側調査シーケンスについて説明する。
【００７０】
まず、ＡＤＳＬ終端装置２はＤＳＬＡＭ装置１へ未使用の「Ｎｏ．ｎサブキャリア調査開始通知」を送信する。ＤＳＬＡＭ装置１は「Ｎｏ．ｎサブキャリア調査開始通知」を受信した場合、ＡＤＳＬ終端装置２へ「応答」を送信し、「Ｎｏ．ｎサブキャリア調査」を開始する。この時、調査するサブキャリアはＤＳＬＡＭ装置１が送信側で、ＡＤＳＬ終端装置２が受信側となる。
【００７１】
ＡＤＳＬ終端装置２はＮｏ．ｎサブキャリアの回線品質調査が終了すると、この回線品質状態をＤＳＬＡＭ装置１へ「Ｎｏ．ｎサブキャリア結果通知」として送信する。ＤＳＬＡＭ装置１は「Ｎｏ．ｎサブキャリア結果通知」を受信すると、ＡＤＳＬ終端装置２へ「応答」を送信する。この時、ＤＳＬＡＭ装置１及びＡＤＳＬ終端装置２は回線品質状態によってＮｏ．ｎサブキャリアの使用／未使用を決定し、上り側調査シーケンスを終了する。
【００７２】
図９は本発明の実施の形態による通信システムにおけるサブキャリア調査要求側の動作を示すフローチャートである。図９に示す動作は図７に示す下り側調査シーケンスではＤＳＬＡＭ装置１側の動作になり、図８に示す上り側調査シーケンスではＡＤＳＬ終端装置２側の動作になる。
【００７３】
まず、サブキャリア調査要求側ではサブキャリア調査を開始する場合、調査を行う「Ｎｏ．ｎサブキャリア調査開始通知」を送信し（図９ステップＳ３１）、相手からの「応答」の受信を待つ（図９ステップＳ３２）。サブキャリア調査要求側は「応答」を受信した場合、「Ｎｏ．ｎサブキャリアの回線品質調査」を行う（図９ステップＳ３３）。
【００７４】
サブキャリア調査要求側はこの品質調査の結果によって回線品質が良好と判定すると（図９ステップＳ３４）、Ｎｏ．ｎサブキャリアを使用する（回線速度の追加）　（図９ステップＳ３５）。また、サブキャリア調査要求側は回線品質が良好ではない（良くない）と判定すると（図９ステップＳ３４）、Ｎｏ．ｎサブキャリアを未使用とする（回線速度は変化なし）（図９ステップＳ３６）。
【００７５】
最後に、サブキャリア調査要求側は「Ｎｏ．ｎサブキャリア結果通知」を送信し　（図９ステップＳ３７）、上述したサブキャリア調査の処理を終了する。
【００７６】
図１０は本発明の実施の形態による通信システムにおけるにサブキャリア調査受付側の動作を示すフローチャートである。図１０に示す動作は図８に示す下り側調査シーケンスではＡＤＳＬ終端装置２側の動作になり、図９に示す上り側調査シーケンスではＤＳＬＡＭ装置１側の動作になる。
【００７７】
まず、サブキャリア調査受付側ではＡＤＳＬ線路信号ｃから「Ｎｏ．ｎサブキャリア調査開始通知」を受信した場合（図１０ステップＳ４１）、「応答」を送信し（図１０ステップＳ４２）、通知された「Ｎｏ．ｎサブキャリアの回線品質調査」を行う（図１０ステップＳ４３）。
【００７８】
サブキャリア調査受付側は「Ｎｏ．ｎサブキャリア結果通知」の受信を待ち（図１０ステップＳ４４）、この結果通知の内容によって回線品質が良好と判定すると（図１０テップＳ４５）、回線速度の追加を行い（図１０ステップＳ４６）、サブキャリア調査の処理を終了する。サブキャリア調査受付側は回線品質が良好でないと判定すると（図１０テップＳ４５）、そのままサブキャリア調査の処理を終了する。
【００７９】
図１１は本発明の実施の形態による処理の優先順位を示す図である。図１１に示す優先順位は、図５に示す回線速度調整通知実施側の動作、図６に示す回線速度調整通知受信側の動作、図９に示すサブキャリア調査要求側の動作、図１０に示すサブキャリア調査受付側の動作各々の優先順位を示したものである。
【００８０】
この優先順位による選択処理は上記の処理が競合した場合の処理として行われ、それ以外は処理を受付けた順番に処理が行われる。つまり、上述した処理の優先順位は「回線速度調整通知の受信」、「空きサブキャリア品質調査の受信」、「回線速度調整の実施」、「空きサブキャリア品質調査の実施」の順となる。
【００８１】
図１２は本発明の一実施例による通信システムの上り側回線速度調整シーケンスを示すシーケンスチャートである。本発明の一実施例による通信システムの構成は図１に示す本発明の実施の形態と同様の構成となっているので、これら図１と図１２とを参照して本発明の一実施例による通信システムの上り側回線速度調整シーケンスについて説明する。図１２に示す上り側回線速度調整シーケンスでは、この時に使用しているサブキャリアが全てのサブキャリアを使用（３２個）している場合を想定している。
【００８２】
まず、ＤＳＬＡＭ装置１はＡＤＳＬ線路信号ｃからエラーを検出した場合、ＡＤＳＬ終端装置２へ「回線速度調整通知」を送信する。ＡＤＳＬ終端装置２はＤＳＬＡＭ装置１から「回線速度調整通知」を受信すると、「応答」をＤＳＬＡＭ装置１へ送信する。
【００８３】
ＤＳＬＡＭ装置１は「応答」を受信した場合、各サブキャリア調査を実施するために「Ｎｏ．１サブキャリア調査開始」をＡＤＳＬ終端装置２へ送信する。ＡＤＳＬ終端装置２はＤＳＬＡＭ装置１から「Ｎｏ．１サブキャリア調査開始」を受信すると、ＤＳＬＡＭ装置１へ「応答」を送信し、「Ｎｏ．１サブキャリア調査」を実施する。この時、調査するサブキャリアはＡＤＳＬ終端装置２が送信側で、ＤＳＬＡＭ装置１が受信側となる。
【００８４】
ＤＳＬＡＭ装置１はＮｏ．１サブキャリアの回線品質調査が終了すると、この回線品質状態をＡＤＳＬ終端装置２へ「Ｎｏ．１サブキャリア結果通知」として送信する。ＡＤＳＬ終端装置２はＤＳＬＡＭ装置１から「Ｎｏ．１サブキャリア結果通知」を受信すると、ＤＳＬＡＭ装置１へ「応答」を出力する。この時、ＤＳＬＡＭ装置１及びＡＤＳＬ終端装置２は回線品質状態によってＮｏ．１サブキャリアの使用／未使用を決定する。
【００８５】
次に、ＤＳＬＡＭ装置１は「Ｎｏ．２サブキャリア調査開始」をＡＤＳＬ終端装置２へ送信する。ＡＤＳＬ終端装置２はＤＳＬＡＭ装置１から「Ｎｏ．２サブキャリア調査開始」を受信すると、ＤＳＬＡＭ装置１へ「応答」を送信し、「Ｎｏ．２サブキャリア調査」を実施する。この時、調査するサブキャリアはＡＤＳＬ終端装置２が送信側で、ＤＳＬＡＭ装置１が受信側となる。
【００８６】
ＤＳＬＡＭ装置１はＮｏ．２サブキャリアの回線品質調査が終了すると、この回線品質状態をＡＤＳＬ終端装置２へ「Ｎｏ．２サブキャリア結果通知」として送信する。ＡＤＳＬ終端装置２はＤＳＬＡＭ装置１から「Ｎｏ．２サブキャリア結果通知」を受信すると、ＤＳＬＡＭ装置１に「応答」を出力する。この時、ＤＳＬＡＭ装置１及びＡＤＳＬ終端装置２は回線品質状態によってＮｏ．２サブキャリアの使用／未使用を決定する。
【００８７】
ＤＳＬＡＭ装置１は上記と同様にして、各サブキャリアの調査を使用している個数分（図１２では３２個）の「Ｎｏ．３２サブキャリアの調査」を実施し、最後に、　「回線速度調整終了通知」をＡＤＳＬ終端装置２へ送信する。ＡＤＳＬ終端装置２はＤＳＬＡＭ装置１から「回線速度調整終了通知」を受信すると、ＤＳＬＡＭ装置１へ「応答」を送信して回線速度調整シーケンスを終了する。
【００８８】
図１３は本発明の一実施例による通信システムの下り側回線速度調整シーケンスを示すシーケンスチャートである。これら図１と図１３とを参照して本発明の一実施例による通信システムの下り側回線速度調整シーケンスについて説明する。図１３に示す下り側回線速度調整シーケンスでは、この時に使用しているサブキャリアが全てのサブキャリアを使用（１２８個）している場合を想定している。
【００８９】
まず、ＡＤＳＬ終端装置２側でＡＤＳＬ線路信号ｃからエラーを検出した場合、ＤＳＬＡＭ装置１へ「回線速度調整通知」を送信する。ＤＳＬＡＭ装置１はＡＤＳＬ終端装置２から「回線速度調整通知」を受信すると、「応答」をＡＤＳＬ終端装置２へ送信する。
【００９０】
ＡＤＳＬ終端装置２は「応答」を受信した場合、各サブキャリア調査を実施するために、まず「Ｎｏ．１サブキャリア調査開始」をＤＳＬＡＭ装置１へ送信する。ＤＳＬＡＭ装置１はＡＤＳＬ終端装置２から「Ｎｏ．１サブキャリア調査開始」を受信すると、ＡＤＳＬ終端装置２へ「応答」を送信し、「Ｎｏ．１サブキャリア調査」を実施する。この時、調査するサブキャリアはＤＳＬＡＭ装置１が送信側で、ＡＤＳＬ終端装置２が受信側となる。
【００９１】
ＡＤＳＬ終端装置２はＮｏ．１サブキャリアの回線品質調査が終了すると、この回線品質状態をＤＳＬＡＭ装置１へ「Ｎｏ．１サブキャリア結果通知」として送信する。ＤＳＬＡＭ装置１はＡＤＳＬ終端装置２から「Ｎｏ．１サブキャリア結果通知」を受信すると、ＡＤＳＬ終端装置２へ「応答」を出力する。この時、ＤＳＬＡＭ装置１及びＡＤＳＬ終端装置２は回線品質状態によってＮｏ．１サブキャリアの使用／未使用を決定する。
【００９２】
次に、ＡＤＳＬ終端装置２は「Ｎｏ．２サブキャリア調査開始」をＤＳＬＡＭ装置１へ送信する。ＤＳＬＡＭ装置１はＡＤＳＬ終端装置２から「Ｎｏ．２サブキャリア調査開始」を受信すると、ＡＤＳＬ終端装置２へ「応答」を送信し、「Ｎｏ．２サブキャリア調査」を実施する。この時、調査するサブキャリアはＤＳＬＡＭ装置１が送信側で、ＡＤＳＬ終端装置２が受信側となる。
【００９３】
ＡＤＳＬ終端装置２はＮｏ．２サブキャリアの回線品質調査が終了すると、この回線品質状態をＤＳＬＡＭ装置１へ「Ｎｏ．２サブキャリア結果通知」として送信する。
【００９４】
ＤＳＬＡＭ装置１はＡＤＳＬ終端装置２から「Ｎｏ．２サブキャリア結果通知」を受信すると、ＡＤＳＬ終端装置２へ「応答」を出力する。この時、ＤＳＬＡＭ装置１及びＡＤＳＬ終端装置２は回線品質状態によってＮｏ．２サブキャリアの使用／未使用を決定する。
【００９５】
ＡＤＳＬ終端装置２は上記と同様にして、各サブキャリアの調査を使用している個数分（図１７では１２８個）の「Ｎｏ．１２８サブキャリアの調査」を実施し、最後に、「回線速度調整終了通知」をＤＳＬＡＭ装置１へ送信する。ＤＳＬＡＭ装置１はＡＤＳＬ終端装置２から「回線速度調整終了通知」を受信すると、ＡＤＳＬ終端装置２へ「応答」を送信し、回線速度調整シーケンスを終了する。
【００９６】
このように、本実施例では、通信中に回線品質が悪化した場合、ＡＤＳＬ線路１００で使用の各サブチャネル毎に回線品質の調査を行い、悪化しているサブチャネルの使用を停止して回線速度を低くしているので、通信中に回線品質が悪化した場合でもデータエラーの発生や回線の切断をなくすことができる。
【００９７】
また、本実施例では、通信中に未使用の各サブチャネルの回線品質の調査を定期的に実施し、使用することができる回線品質のサブチャネルがある場合、そのサブチャネルを使用して回線速度を高めているので、通信中に回線品質が向上した場合、回線速度を高くすることができる。
【００９８】
図１４は本発明の他の実施例による通信システムの構成を示すブロック図である。図１４において、本発明の他の実施例による通信システムはＤＳＬＡＭ装置１と、ＡＤＳＬ終端装置２と、局舎側端末３と、終端側端末４とから構成され、局舎側端末３と終端側端末４とをＤＳＬＡＭ装置１とＡＤＳＬ線路１００とＡＤＳＬ終端装置２とを介して相互に接続している。
【００９９】
ＤＳＬＡＭ装置１は局舎側ＡＤＳＬモデム部１１と、局舎側制御部１４とから構成され、ＡＤＳＬ終端装置２は終端側ＡＤＳＬモデム部２１と、終端側制御部２４とから構成されている。ＡＤＳＬ線路１００は局舎側ＡＤＳＬ信号ｂによって局舎側ＡＤＳＬモデム部１１と相互に接続され、終端側ＡＤＳＬ信号ｄによって終端側ＡＤＳＬモデム部２１と相互に接続されている。
【０１００】
局舎側ＡＤＳＬモデム部１１は局舎側データ信号ａによって局舎側端末１と相互に接続され、局舎側ＡＤＳＬ信号ｂによってＡＤＳＬ線路１００と相互に接続されている。局舎側制御部１４は局舎側制御リンク信号ｈによって局舎側ＡＤＳＬモデム部１１と相互に接続され、局舎側回線制御信号ｊによって局舎側ＡＤＳＬモデム部１１の制御を行う。
【０１０１】
終端側ＡＤＳＬモデム部２１は終端側ＡＤＳＬ信号ｄによってＡＤＳＬ線路１００と相互に接続され、終端側データ信号ｅによって終端側端末４と相互に接続されている。終端側制御部２４は終端側制御リンク信号ｉによって終端側ＡＤＳＬモデム部２１と相互に接続され、終端側回線制御信号ｋによって終端側ＡＤＳＬモデム部２１の制御を行う。
【０１０２】
図１５は本発明の他の実施例による通信システムのＡＤＳＬパス構成を示す図である。図１５において、ＡＤＳＬ線路信号ｃの高位レイヤではＡＴＭセルを用いられてデータ信号が伝送されているので、従来の局舎側データ信号ａと終端側デ―タ信号ｅとしてＶＣＩ＝ｘのパスと、それとは別に制御信号として局舎側制御リンク信号ｈと終端側制御リンク信号ｉとのＶＣＩ＝ｙのパスとを設定し、局舎側制御部１４と終端側制御部２４との間での制御シーケンスを実行するようにしている。
【０１０３】
これによって、本実施例では、回路構成を複雑化することなく、上述した本発明の一実施例と同様に、通信中に回線品質が悪化した場合でもデータエラーの発生や回線の切断をなくすことができ、通信中に回線品質が向上した場合に回線速度を高くすることができる。
【０１０４】
【発明の効果】
以上説明したように本発明の通信システムは、局舎側端末と終端側端末とが複数のサブキャリアにて信号の伝送を行うＡＤＳＬ線路を介して相互に通信を行うために、局舎側端末とＡＤＳＬ線路とを接続するＤＳＬＡＭ装置と、終端側端末とＡＤＳＬ線路とを接続するＡＤＳＬ終端装置とを含む通信システムにおいて、ＤＳＬＡＭ装置及びＡＤＳＬ終端装置各々が、局舎側端末と終端側端末とが通信中に回線品質が悪化した時にＡＤＳＬ線路で使用している各サブチャネル毎に回線品質の調査を行い、その調査結果を基に回線品質が悪化しているサブチャネルの使用を停止することによって、通信中に回線品質が悪化した場合のデータエラーの発生及び回線の切断をなくすことができるという効果が得られる。
【０１０５】
また、本発明の他の通信システムは、局舎側端末と終端側端末とが複数のサブキャリアにて信号の伝送を行うＡＤＳＬ線路を介して相互に通信を行うために、局舎側端末とＡＤＳＬ線路とを接続するＤＳＬＡＭ装置と、終端側端末とＡＤＳＬ線路とを接続するＡＤＳＬ終端装置とを含む通信システムにおいて、ＤＳＬＡＭ装置及びＡＤＳＬ終端装置各々が、局舎側端末と終端側端末とが通信中に未使用のサブチャネル各々の回線品質の調査を定期的に実施し、その調査結果を基に使用可能な回線品質のサブチャネルを使用することによって、通信中に回線品質が向上した場合に回線速度を高くすることができるという効果が得られる。
【図面の簡単な説明】
【図１】本発明の実施の形態による通信システムの構成を示すブロック図である。
【図２】本発明の実施の形態による通信システムにおける電力分布を示す図である。
【図３】本発明の実施の形態による通信システムの上り側回線速度調整シーケンスを示すシーケンスチャートである。
【図４】本発明の実施の形態による通信システムの下り側回線速度調整シーケンスを示すシーケンスチャートである。
【図５】本発明の実施の形態による通信システムにおける回線速度調整通知実施側の動作を示すフローチャートである。
【図６】本発明の実施の形態による通信システムにおける回線速度調整通知受信側の動作を示すフローチャートである。
【図７】本発明の実施の形態による通信システムの下り側調査シーケンスを示すシーケンスチャートである。
【図８】本発明の実施の形態による通信システムの上り側調査シーケンスを示すシーケンスチャートである。
【図９】本発明の実施の形態による通信システムにおけるサブキャリア調査要求側の動作を示すフローチャートである。
【図１０】本発明の実施の形態による通信システムにおけるにサブキャリア調査受付側の動作を示すフローチャートである。
【図１１】本発明の実施の形態による処理の優先順位を示す図である。
【図１２】本発明の一実施例による通信システムの上り側回線速度調整シーケンスを示すシーケンスチャートである。
【図１３】本発明の一実施例による通信システムの下り側回線速度調整シーケンスを示すシーケンスチャートである。
【図１４】本発明の他の実施例による通信システムの構成を示すブロック図である。
【図１５】本発明の他の実施例による通信システムのＡＤＳＬパス構成を示す図である。
【図１６】従来の通信システムの構成を示すブロック図である。
【図１７】従来の通信システムにおける電力分布を示す図である。
【符号の説明】
１　ＤＳＬＡＭ装置
２　ＡＤＳＬ終端装置
３　局舎側端末
４　終端側端末
１１　局舎側ＡＤＳＬモデム部
１２　局舎側スプリッタ部
１３　局舎側音声モデム部
１４　局舎側制御部
２１　終端側ＡＤＳＬモデム部
２２　終端側スプリッタ部
２３　終端側音声モデム部
２４　終端側制御部
１００　ＡＤＳＬ線路
ａ　局舎側データ信号
ｂ　局舎側ＡＤＳＬ信号
ｃ　ＡＤＳＬ線路信号
ｄ　終端側ＡＤＳＬ信号
ｅ　終端側データ信号
ｆ　局舎側音声信号
ｇ　終端側音声信号
ｈ　局舎側制御リンク信号
ｉ　終端側制御リンク信号
ｊ　局舎側回線制御信号
ｋ　終端側回線制御信号
【図１】
2004048213.tif 000003
【図２】
2004048213.tif 000004
【図３】
2004048213.tif 000005
【図４】
2004048213.tif 000006
【図５】
2004048213.tif 000007
【図６】
2004048213.tif 000008
【図７】
2004048213.tif 000009
【図８】
2004048213.tif 000010
【図９】
2004048213.tif 000011
【図１０】
2004048213.tif 000012
【図１１】
2004048213.tif 000013
【図１２】
2004048213.tif 000014
【図１３】
2004048213.tif 000015
【図１４】
2004048213.tif 000016
【図１５】
2004048213.tif 000017
【図１６】
2004048213.tif 000018
【図１７】
2004048213.tif 000019